(57)【要約】      （修正有）【課題】インクジェットプリンタで印刷するのに最適なマグネットシートにおいて、屋外広告等に用いるのに必要な、強吸着性、低収縮性、インク定着の良好性、低価格性等の各種要件をすべて満たすような使いやすい大型インクジェットプリンタ用のマグネットシートの提供。【解決手段】磁性粉を含有する軟質合成樹脂からなる磁石層１２の片面に、軟質合成樹脂製の印刷層１３が積層された大型インクジェットプリンタ用マグネットシート１１であって、上記磁石層の厚さが０．４mmであるとともに、上記印刷層の厚さが０．１mmであり、印刷層は表面にインク受理層を有しない塩化ビニルで形成された大型インクジェットプリンタ用マグネットシート。【選択図】図２
0003117937.tif 000002
【実用新案登録請求の範囲】
【請求項１】
磁性粉を含有する軟質合成樹脂からなる磁石層の片面に、軟質合成樹脂製の印刷層が積層された大型インクジェットプリンタ用マグネットシートであって、
上記磁石層の厚さが０．４mmであるとともに、
上記印刷層の厚さが０．１mmである
大型インクジェットプリンタ用マグネットシート。
【請求項２】
前記印刷層が、コーティングされたインク受理層を表面に有しない塩化ビニルからなる
請求項１に記載の大型インクジェットプリンタ用マグネットシート。
【請求項３】
前記印刷層の表面が、凹凸を有するマット調に形成された
請求項１または請求項２に記載の大型インクジェットプリンタ用マグネットシート。
【請求項４】
前記磁石層の反印刷層側の面に、ＵＶコート層が形成された
請求項１から請求項３のうちのいずれか一項に記載の大型インクジェットプリンタ用マグネットシート。
【考案の詳細な説明】
【技術分野】
【０００１】
この考案は、たとえば、看板、ポスタ、案内板、ＰＯＰ、ビルボード、電飾、バナー、トラックラッピングその他の屋外広告などに好適に用いられるマグネットシートに関し、より詳しくは、ソルベントインクやレジインクを使用する大型インクジェットプリンタでプリントするのに適したマグネットシートに関する。
【背景技術】
【０００２】
マグネットシートは、スチール面に直接固定できるので便利であり、高い需要がある。
【０００３】
このようなマグネットシートとしては、たとえば下記特許文献１の表示用マグネットシートが提案されている。この表示用マグネットシートは、厚さ０．０５〜０．１５mmの磁石シートの他方面に、厚さ０．０５〜０．１５mmの印刷シートを貼着して０．１〜０．３mmの厚さに形成したものである。また、大型の表示用マグネットシートとしては、下記特許文献２に開示されている表示用マグネットシートがある。この表示用マグネットシートは、厚さ０．１〜０．２mmの磁石シートの一面若しくは両面に、厚さ０．１〜０．２mmの印刷シートをラミネートしたものである。
【０００４】
【特許文献１】特許第２８１９０１７号公報
【特許文献２】特開２００４−２９０９５号公報
【考案の開示】
【考案が解決しようとする課題】
【０００５】
しかし、特許文献１の表示用マグネットシートの場合には、磁石シートが０．０５〜０．１５mm、特許文献２の表示用マグネットシートの場合には磁石シートが０．１〜０．２mmと、極薄く形成されている。このため、磁石シートの吸着力は他の物体を積極的に吸着して支えられるほど高くはない。磁石シートの吸着力は、磁性粉の含有量や磁性粉が等方性か異方性かによっても異なるが、厚さに比例して強くなる。一般タイプの等方性磁石における吸着力の代表値は、厚さが０．４mmのときで１６g/cm2以上、厚さが０．６mmのときで２５g/cm2以上、厚さが０．８mmのときで３３g/cm2以上、強磁タイプの異方性磁石における吸着力の代表値は、それぞれ２２g/cm2以上、４２g/cm2以上、５８g/cm2以上とされている。
【０００６】
したがって、上記例の０．４mmの半分もしくはそれ以下の厚さである上記特許文献１や２の表示用マグネットシートの吸着力は、等方性の場合で１０g/cm2より小、強磁タイプの異方性であっても１０g/cm2程度と、極小さいものである。このような値は、磁石シートの片面または両面に磁石シートと同程度の厚さの印刷シートを貼着して構成されたマグネットシートの自重と比較して、さほど大きいものではなく、マグネットシート自体を支える程度の吸着力である。
【０００７】
このため、上記各特許文献に記載された表示用マグネットシートを屋外広告に使用したり、走行する車両の車体に貼り付けたりした時に、充分な吸着力が得られず、脱落してしまうことがある。つまり、屋外広告などに使用するのには適さない。
【０００８】
そこで、吸着力を高めることが必要であるが、そのための手段として、まず、強磁タイプの異方性磁石を採用して吸着力を高めることが考えられる。しかし、上記のようにそれほどに吸着力を高めることはできない。単に異方性の磁性粉を採用しても等方性のものに比して約１．５倍ほどしか吸着力は高まらない。厚さが０．２mm程度では、車両の車体に吸着させて走行しても脱落しないような強力な吸着力はなかなか得られない。
【０００９】
また、吸着力を高められたとしても、それだけでは屋外広告などに使用するマグネットシートとしては不充分である。
【００１０】
すなわち、屋外広告等に使用するマグネットシートでは、インクの定着性はもとより、印刷をしても収縮が起こらず所望のサイズに印刷表示ができることも重要な要件である。
【００１１】
印刷をしたら収縮してしまったというのでは、出力したものが商品価値を失う。また、所望のサイズに印刷表示ができないので、分割出力されたマグネットシートの場合、印刷表示（絵柄）をあわせてのシームができず、商品にならない。
【００１２】
吸着力を高める別の手段として、厚みを増すことが考えられる。厚みを厚くすると吸着力を高めることができるが、材料費が嵩むため高価になってしまう。一方、価格を低く抑えるべく薄く形成しようとしても、大型のマグネットシートにおいて一定以上に薄くすることは、製造技術・生産性の点から難しく（上記特許文献２の発明が解決しようとする課題の項目参照）、廉価化を図ることはできない。却って、高価になってしまう。
【００１３】
また、磁石層を厚くすればその分マグネットシート全体の厚さが厚くなるため、インクジェットプリンタのプリントヘッドとの距離が近くなって、印刷中のマグネットシートがプリントヘッドに引っ掛かることがある。引っ掛かりは、マグネットシートが印刷中にヒータで加熱され、表面が浮くように、換言すれば波打つように変形することによって、不測に発生する。
【００１４】
一般的な大型インクジェットプリンタにおいては、搬送面とプリントヘッドとの間の距離は２mm程度に設定され、必要に応じて段階的に距離を変更できるように構成されているので、引っ掛かりを阻止するためにプリントヘッドを搬送面から離して距離をとることができるが、必要以上に距離があいてしまうと、吐出されたインクの定着が悪くなる上に、形成される印刷表示が不鮮明になってしまう問題点がある。しかも、そのプリントヘッド高さの調整は、印刷に際して作業員が出力ルームの温度や湿度等の条件も考慮して勘に頼って行わなければならず、面倒な作業である。プリントヘッドの高さ調整を行えば、種類の違う別のシートに対する印刷の時に再調整しなければならなくなるので、プリントヘッドの高さ調整はしないのが好ましい。
【００１５】
また、マグネットシートの厚みが厚いと、ヒータによる熱の伝導が悪くなるので、印刷後の乾燥性やインクの定着性がよくない上に、印刷ムラが生じる問題点もある。熱伝導を良くするためには、ヒータの温度を上げればよいが、その微妙な上げ加減が難しく、上げすぎてしまうと上記の波打つような変形が顕著になって、印刷中の引っ掛かりが発生しやすくなる。このため、一般的な大型インクジェットプリンタで印刷できるマグネットシートは、厚くても０．６〜０．７mmとされていた。
【００１６】
さらに、マグネットシートの厚さが厚いと、それだけマグネットシートの重量は重くなる。たとえば０．８mm厚、１０００mm幅で１０m巻きのマグネットシートロールでは３０kgにもなってしまう。このように重量が重いと、印刷初期と印刷終期において印刷中の送りの速度に差が生じ、マグネットシートの印刷初期部分と印刷終期部分とで印刷表示にずれができてしまい、商品価値を喪失する。こうした場合も、上記のように分割出力したマグネットシート同士をシームすることができなくなる。
【００１７】
そこで、この考案は、上記の様々な種問題点に鑑み、強い吸着力が得られる、印刷をしても収縮が起こらず所望サイズの印刷表示が行える、価格を低く抑えられる、印刷作業を簡単にできる、インクの定着性が良好である、鮮明な印刷表示が得られるなどといった、屋外広告等に用いるのに最適な、大型インクジェットプリンタ用のマグネットシートの提供を課題とする。
【課題を解決するための手段】
【００１８】
そのための手段は、磁性粉を含有する軟質合成樹脂からなる磁石層の片面に、軟質合成樹脂製の印刷層が積層された大型インクジェットプリンタ用マグネットシートであって、上記磁石層の厚さが０．４mmであるとともに、上記印刷層の厚さが０．１mmである大型インクジェットプリンタ用マグネットシートである。
【００１９】
すなわち、この大型インクジェットプリンタ用マグネットシートを大型インクジェットプリンタにかけて印刷を行うと、まず、プリンタのヒータの熱で表面側の印刷層が加熱されて柔らかくなり、この状態の印刷層に対してインクがプリントヘッドから吐出される。インクがソルベントインク（エコソル等を含む）の場合には溶剤が印刷層を溶かしてインクをしみ込ませ定着させる。インクがレジインクの場合には、インクが印刷層の表面に付着すると、インクに含有されているポリマーが低温硬化（乾燥）して、表面保護とインク定着を行う。このとき、マグネットシートの厚さは、０．４mmの磁石層と０．１mmの印刷層を合わせて０．５mmであるので、搬送面とプリントヘッドとの間が２mm程度に設定されている一般的な大型インクジェットプリンタでは、印刷層の表面とプリントヘッドとの間に約１．５mmの隙間ができる。このため、印刷層が加熱されて柔らかくなって、浮くような変形が生じても、充分な余裕があるので引っ掛かりの発生を阻止できる。また、プリントヘッドの高さを調整したり、ヒータの温度を上げたりする必要性もなく、印刷作業は簡単に行える。そのうえ、インクの定着性も所望通り良好に行え、鮮明な印刷表示を得ることができる。
【００２０】
また、印刷終了後乾燥すると、ソルベントインクを用いた場合には印刷層の収縮が起こるものであるが、０．４mm厚の磁石層が印刷層をしっかりと強固に支持し、また印刷層も０．１mmであって、インクが印刷層を侵す厚さである１０μmに比して充分な厚さを有するので、必要以上の収縮を抑えることができる。このため、商品価値の喪失を阻止し、所望サイズの印刷表示を得られる。収縮がなく所望サイズの印刷表示が得られるため、分割出力されたマグネットシートをシームして大型のシートにしたときに印刷表示にずれが生じるようなことはない。
【００２１】
そして、その磁石層は０．４mmと、従来のものに比較的厚く形成されているので、磁性粉の種類や含有量の設定とあわせて、吸着力を高めることができる。同時に、その特異な厚さゆえに、製造に困難性はなく廉価に生産できる。このため、低価格化を図ることができる。
【００２２】
また、磁石層を０．４mm厚とすることでマグネットシートの重さを抑えることができ、印刷時の搬送に際してプリンタの搬送装置に負担をかけず、速度差を生じさせないようにすることができる。このため、印刷初期の印刷表示と印刷終期の印刷表示にずれが生じないようにすることが可能である。印刷表示にずれがないので、分割出力されたもの同士をシームする場合でも何ら支障はなく、印刷表示が合った美麗な大型シートを得ることができる。
【００２３】
さらに、マグネットシートは柔軟であるので、吸着は密着性よく行え、磁石層の高い吸着力と相まって、被吸着面に対して強力に保持できる。そして、走行する自動車の車体に吸着した場合でも、風の抵抗を受ける端面は、０．５mmと、０．８mm厚のものなどに比して薄く、僅かであるので、不測の脱落を防止できる。
【００２４】
ここで、上記各構成要素については、たとえば次のような態様に構成することができる。  
その態様の一つは、上記印刷層が、コーティングされたインク受理層を表面に有しない塩化ビニルからなるものである。  
すなわち、インク受理層のコーティングが不要であるため、コストダウンを図ることができる。
【００２５】
態様の他の一つは、上記印刷層の表面が、凹凸を有するマット調に形成されたものである。  
すなわち、印刷層の表面がマット調であるのでインクの定着性を、マグネットシート全体の厚さのみではなく、印刷層自体の構成からも良好にすることができる。
【００２６】
態様の他の一つは、上記磁石層の反印刷層側の面に、ＵＶコート層が形成されたものである。  
すなわち、ＵＶコート層が磁石層の反対印刷層側の面を覆うので、ブロッキングを防止することができる。しかも、ＵＶコート層であるので、オーブンを必要とせず熱なしで簡易に乾燥できるとともに、皮膜（層）が丈夫であるので、マグネットシートの耐久性も高めることができる。
【考案の効果】
【００２７】
以上のように、この考案によれば、強い吸着力を得られる、印刷後の収縮を抑えて所望サイズの印刷表示が行える、価格を低く抑えられる、印刷作業を簡単にできる、インクの定着性が良好である、鮮明な印刷表示が得られる、幅広の製品を低価格で得られる、印刷後のラミネートなどの処理が簡単である、などといった、様々な効果を得られる。従来は、たとえばプリンタに通しやすくするために厚さを薄くすれば、吸着力が低い、収縮が起こる、低価格化はできないなどの種々の不都合が生じたように、大型インクジェットプリンタ用マグネットシートとして必要な要件の一方を充分に満たそうとすれば、その他の要件が満たされないというジレンマに陥っていたが、この考案によれば、大型インクジェットプリンタ用マグネットシートとして必要な要件のすべてを満遍なく満たし、現在使用されている一般的な大型インクジェットプリンタに使用するのに最適で、総合的にみて優れた大変扱いやすいマグネットシートを得ることができる。シートを製造販売する業者にとっても、シートを購入して印刷を行う業者にとっても有利なマグネットシートである。
【考案を実施するための最良の形態】
【００２８】
この考案を実施するための一形態を、以下図面を用いて説明する。  
図１は、大型インクジェットプリンタ用マグネットシート１１（以下、シートという）を示し、この図に示すようにシート１１は、幅広の長尺状に形成されている。幅Ｗは、大型インクジェットプリンタに使用可能な適宜の寸法、たとえば１０００mm、１２００mm等に設定される。
【００２９】
シート１１は、柔軟性を有するもので、被吸着面に吸着するための磁石層１２と、インクを定着させて印刷表示を形成するための印刷層１３とを有し、図２に断面図で示したように構成されている。すなわち、磁石層１２の片面に印刷層が積層一体化されている。
【００３０】
上記磁石層１２は、磁性粉を含有する軟質合成樹脂からなる。磁性粉としては、たとえばストロンチウムフェライトが用いられ、軟質合成樹脂としては塩素化ポリエチレンが用いられる。
【００３１】
上記印刷層１３は、塩化ビニルで形成され、その厚みＴ２は０．１mmである。表面１３ａには、インク受理層のためのコート層を有しない。しかし、成形に際して微細な凹凸が形成され、マット調に仕上げられている。
【００３２】
上記磁石層１２における反印刷層側の面には、ＵＶコート層１４が形成され、ブロッキング防止を図っている。このＵＶコート層１４は、ＵＶインクの塗布と紫外線照射により形成され、数μm程度の薄いものである。
【００３３】
このような構成のシート１１の厚さＴ３は、全体として０．５mmの厚さである。
【００３４】
このシート１１は、大型インクジェットプリンタで印刷するときに使用される。プリンタのインクは、ソルベントインクであるもレジインクであるもよい。
【００３５】
図３は、溶剤系大型インクジェットプリンタ２１（以下、プリンタという）の概略構成を示す。
【００３６】
プリンタ２１は、ロール状に巻かれたシート１１を一対の送りローラ２２，２３で搬送面２４上に送り込み、水平に搬送しながら搬送面２４上方に配置されたプリントヘッド２５で印刷を行い、印刷をしてからシート１１を送り出す。入口側に設けられた受け板２６の下と、搬送面２４の下におけるプリントヘッド２５に対応する位置にはヒータ２７，２８が設けられ、シート１１を加熱してソルベントインクの定着が良好に行われるように構成される。図中２９は、出口側に設けられた受け板である。
【００３７】
上記搬送面２４とプリントヘッド２５との間Ｈ１は、一般的なプリンタでは、図４に示したように２mm程度に設定されている。このため、上記のような０．５mm厚のシート１１を搬送すると、プリントヘッド２５との間に約１．５mmの隙間Ｈ２が残る。
【００３８】
上記ヒータ２７，２８による加熱でシート１１は緩み、浮くような変形をするが、１．５mmも浮き上がることは決してなく、搬送中にシート１１の引っ掛かりは発生しない。このため、プリントヘッド２５の高さを調整する必要はなく、印刷作業は簡単に行える。
【００３９】
シート１１は搬送されながら、プリントヘッド２５から吐出されるインクを受け、印刷表示が形成される。このとき、プリントヘッド２５と印刷層１３との間の距離が離れすぎることはないので、インクの定着性も所望通り良好に行え、鮮明な印刷表示を得ることができる。インクの定着性は、印刷層１３の表面がマット調であることによっても高められる。
【００４０】
また、印刷に際してヒータ２７，２８の温度設定をシート１１にあわせて変更することも不要である。すなわち、シート１１が０．８mmや１mmなどというように厚いものではなく、０．５mmであるので、ヒータ２７，２８からの熱伝導は良好であって、インクの乾燥性や定着性がよいうえに、印刷ムラも発生しないからである。
【００４１】
プリントヘッド２５の高さ調整やヒータ２７，２８の温度設定の変更は、つぎに別の種類のシート１１に対して印刷するときのことを考慮すると、その作業が大変煩雑であるのでしないほうが理想的である。この点、上記シート１１を用いれば、それらの変更が不要であるため、印刷作業は容易である。シート１１の厚さが０．５mmを越えると、そのメリットは得られない。
【００４２】
なお、インクにソルベントインクを用いるので、印刷終了後乾燥すると、印刷層の収縮が起こるものであるが、０．４mm厚の磁石層１２が印刷層１３をしっかりと強固に支持し、また印刷層１３も０．１mmであって、インクが印刷層１３を侵す厚さである１０μmに比して充分な厚さを有するので、必要以上の収縮を抑えることができる。このため、収縮による不良品の発生をなくすことができるとともに、所望サイズの印刷表示を得られる。収縮がなく所望サイズの印刷表示が得られるため、分割出力されたシート１１同士をシームして大型のシートにしたときに印刷表示にずれが生じるようなことはない。
【００４３】
そして、その磁石層１２は０．４mmと、従来のものに比較的厚く形成されているので、吸着力は高い。しかも、その特異な厚さゆえに、製造に困難性はなく廉価に生産でき、低価格化を図ることができる。低価格化は、印刷層１３が表面にインク受理層を有しない塩化ビニルからなるものであるためコストを抑えることができることによっても実現できる。
【００４４】
また、磁石層１２を０．４mm厚としたのでシート１１の重さを抑えることができる。この結果、印刷時の搬送に際してプリンタ２１の搬送装置に負担をかけず、搬送に際して速度差を生じさせないようにすることができる。このため、印刷初期の印刷表示と印刷終期の印刷表示にずれが生じないようにすることが可能である。印刷表示にずれがないので、分割出力されたシート１１同士をシームする場合でも何ら支障はなく、印刷表示が合った美麗な大型シートを得ることができる。
【００４５】
さらに、シート１１は柔軟であるので、被吸着面に対する吸着は密着性よく行え、磁石層１２高い吸着力と相まって、被吸着面に対して強力に保持できる。そして、走行する車両の車体に吸着した場合でも、風の抵抗を受ける端面は、０．５mmと、０．８mm厚のものなどに比して薄く、僅かであるので、不測の脱落を防止できる。
【００４６】
さらにまた、上記磁石層１２の反印刷層側の面に、皮膜が丈夫なＵＶコート層１４を有するので、シート１１の耐久性を高めることができるとともに、そのＵＶコート層１４の形成に際してはオーブンを必要とせず熱なしで簡易に乾燥できるので簡単である。
【００４７】
以上のように、上記シート１１は、強い吸着力を得られる、印刷後の収縮を抑えて所望サイズの印刷表示が行える、価格を低く抑えられる、印刷作業を簡単にできる、インクの定着性が良好である、鮮明な印刷表示が得られる、幅広の製品を低価格で得られる、などといった、様々な効果を有し、大型インクジェットプリンタ用マグネットシートとして必要な要件のすべてを満遍なく満たし、現在使用されている一般的な大型インクジェットプリンタに使用するのに最適で、総合的に見て優れた大変扱いやすいマグネットシートである。
【００４８】
なお、シート１１は上述のように吸着力が強いので、プリンタ２１での印刷時に工夫が必要である。すなわち、プリンタ２１の種類によっては、受け板２６，２９の一方または双方がスチール製であるので、シート１１の搬送ができないからである。そのため、プリンタ２１にスチール部分がある場合には、図５に示したような遮蔽シート３１を用いて、そのスチール部分を覆うとよい。
【００４９】
遮蔽シート３１は、スチール部分の形状に合わせて形成された長尺帯状をなす薄いシート状で、スチール部分に対して着脱可能に固定するための固定手段を有する。具体的には、長尺帯状の本体３２は、シート１１がスチール部分に対して吸着する力を遮断する程度の厚さ等の特性を有する合成紙や生地等の適宜材料で形成されている。そして、その下面における両側縁に、薄くて細幅帯状をなすマグネットシート３３，３３が接着等により一体化されている。両面テープを使用するもよいが、スチール部分に粘着剤が付着するなどの不都合があるので、マグネットシートであるのが最も良い。
【００５０】
このように構成された遮蔽シート３１を、印刷の実行に際してプリンタ２１のスチール部分に取り付ければ、シート１１は、何ら支障なく円滑に搬送され、所望の美麗な印刷表示を形成できる。
【００５１】
以上はこの考案を実施するための一形態であって、この考案は、上記の構成のみに限定されることなく、その他の様々な形態を採用することができる。
【図面の簡単な説明】
【００５２】
【図１】大型インクジェットプリンタ用マグネットシートの斜視図。
【図２】大型インクジェットプリンタ用マグネットシートの断面図。
【図３】大型インクジェットプリンタの概略構成図。
【図４】印刷時の状態を示す断面図。
【図５】遮蔽シートの斜視図。
【符号の説明】
【００５３】
１１…大型インクジェットプリンタ用マグネットシート
１２…磁石層
１３…印刷層
１３ａ…表面
１４…ＵＶコート層
【図１】
0003117937.tif 000003
【図２】
0003117937.tif 000004
【図３】
0003117937.tif 000005
【図４】
0003117937.tif 000006
【図５】
0003117937.tif 000007